(57)【要約】【課題】  転石の衝突による破損脱落を低減することができるようにする。【解決手段】  魚道１は、水流を緩和して魚類の休息用静水域としてのプールを作るとともに魚類にとって適切な越流水深と越流形状を確保するための複数の隔壁５が魚道水路に凸設されている。隔壁５は、側面６ａが魚道幅方向を向くように該魚道幅方向に略隙間なく列設された複数の廃タイヤ６からなっており、各廃タイヤ６はその下部が底壁３に埋設固定されている。隔壁５の中央部には、両端部よりも大径の廃タイヤ６が配設されることにより、両部位の廃タイヤ６の天端位置を互いに異ならせ、隔壁５に天端高の異なる２つの越流部８が設けられている。【選択図】      図１
2005282284.tif 000002
【特許請求の範囲】
【請求項１】
魚道水路にタイヤを配設することにより、水流を緩和して魚類の休息用静水域を作るように構築された魚道。
【請求項２】
前記タイヤは、その側面が魚道幅方向を向くように配設された請求項１記載の魚道。
【請求項３】
前記タイヤは、その側面が魚道長さ方向を向くように配設された請求項１記載の魚道。
【請求項４】
前記タイヤは、その側面が上下方向を向くように配設された請求項１記載の魚道。
【請求項５】
魚道幅方向に列設された複数の前記タイヤを含む隔壁が魚道水路に形成された請求項２記載の魚道。
【請求項６】
前記隔壁は、前記タイヤが前記魚道水路の床壁上面から浮かせた状態で支持されることにより潜口が形成された請求項５記載の魚道。
【請求項７】
前記隔壁は、前記タイヤの天端位置を互いに異ならせることにより、天端高の異なる二以上の越流部が設けられた請求項５又は６記載の魚道。
【請求項８】
前記隔壁は、前記魚道幅方向に延びる柱体と、該柱体に嵌装された前記タイヤからなる請求項２、５〜７のいずれか一項に記載の魚道。
【請求項９】
前記柱体は、その長さ方向に延びる間伐材が表面に配設された請求項８記載の魚道。
【発明の詳細な説明】
【技術分野】
【０００１】
本発明は、タイヤを利用した魚道に関するものである。
【背景技術】
【０００２】
一般に魚道は、渓流の全横断を使うかにより、「全面魚道」と「部分魚道」とに大別することができ、また、水の流し方により、階段式、アイスハーバー式等のプール式と、自然石や擬石を使用したストリーム式と、これらの両者を組み合わせた複合式とに大別することができる。これら各種の魚道は、設置する場所、面積、対象魚類、予算等に応じ、それらに適する構造のものが適宜採用される（特許文献１）。
【特許文献１】特開平６−２８０２３９号公報
【発明の開示】
【発明が解決しようとする課題】
【０００３】
ところが、我が国では集中豪雨時の土砂・転石により、魚道構造が破壊され、越流部の変化や本来の魚道構造の変異により、選好流速が変動したり、静水域の喪失等が生じ、魚道機能の低下を招く事態となることが多いという問題がある。
【０００４】
例えば、図１６に示す従来の一般的なプール式魚道９０では、隔壁の越流部９１の厚さが薄く、同図に二点鎖線で示すように転石Ｒの衝突により破損しやすい構造になっている。なお、この魚道９０は、静水域Ｑが大きく魚道勾配が１０％程度あるので、基礎コンクリート９２が小さく経済的であるが、静水域Ｑ内に土砂Ｓが堆積しやすく、静水域Ｑがほとんどなくなるケースもあるという問題もある。
【０００５】
また、図１７に示す従来の一般的なストリーム式魚道９５では、同図に二点鎖線で示すように転石Ｒの衝突により自然石（又は擬石）９６が脱落しやすい構造になっている。なお、この魚道９５は、静水域Ｑが小さいので、土砂Ｓの堆積は少ないが、魚類Ｆが遡上し難く、しかも魚道勾配が１５〜２０％程度となって基礎コンクリート９７が大きくなり経済性に劣るという問題もある。
【０００６】
そこで、本発明の目的は、転石の衝突による破損脱落を低減することができる魚道を提供することにある。
【課題を解決するための手段】
【０００７】
上記目的を達成するために、本発明の魚道は、魚道水路にタイヤを配設することにより、水流を緩和して魚類の休息用静水域を作るように構築されている。
【０００８】
前記タイヤの配設態様としては、特に限定されないが、次の態様を例示できる。
（１）前記タイヤは、その側面が魚道幅方向を向くように配設された態様。
（２）前記タイヤは、その側面が魚道長さ方向を向くように配設された態様。
（３）前記タイヤは、その側面が上下方向を向くように配設された態様。
【０００９】
前記魚道としては、魚道幅方向に列設された複数の前記タイヤを含む隔壁が魚道水路に形成された態様を例示できる。
【００１０】
前記隔壁は、前記タイヤが前記魚道水路の床壁上面から浮かせた状態で支持されることにより潜口が形成された態様を例示できる。この潜口は流量が少ないときでも魚類の遡上を可能にする。
【００１１】
前記隔壁は、前記タイヤの天端位置を互いに異ならせることにより、天端高の異なる二以上の越流部が設けられた態様を例示できる。これにより、魚類がレベルを選択して乗り越えられるようにする。
【００１２】
前記隔壁は、前記魚道幅方向に延びる柱体と、該柱体に嵌装された前記タイヤからなる態様を例示できる。
前記柱体は、その長さ方向に延びる間伐材が表面に配設された態様を例示できる。
また、前記タイヤとしては、特に限定されないが、廃タイヤ、古タイヤ、売れ残りタイヤ、新品タイヤ等を例示できる。特に、廃タイヤを利用すれば、廃棄物のリサイクルに貢献できる。
【００１３】
なお、本発明の魚道は、例えば、階段状に構築した階段式魚道、連続傾斜面上に構築した傾斜式魚道、魚道水路のみからなる単水路式魚道、呼び水導水路に沿って構築された呼び水式魚道、渓流の全横断に構築された全面式魚道等に適用することができる。河床の勾配は、階段状に設けても連続傾斜面状に設けてもよい。また、前記魚道は、河床にコンクリートを現場打ちして構築する現場打ち構造でもよいが、多数のプレキャストブロックを連結して構築する組立式構造でもよい。
【発明の効果】
【００１４】
本発明の魚道によれば、転石の衝突による破損脱落を低減することができるという優れた効果を奏する。
【発明を実施するための最良の形態】
【００１５】
魚道水路にタイヤを配設することにより、水流を緩和して魚類の休息用静水域を作るように構築された魚道である。タイヤは、その側面が魚道幅方向を向くように配設されてもよいし、その側面が魚道長さ方向を向くように配設されてもよいし、その側面が上下方向を向くように配設されてもよい。
【実施例１】
【００１６】
図１〜図３は、本発明を具体化した第一実施例の魚道１を示している。この魚道１は、図示しない堰堤の下流側の河床ＲＢにコンクリートを現場打ちして構築したものであり、底壁３と、該底壁３の両側縁部に立設された左右一対の側壁４，４とにより魚道水路を構成し、上端は開放している。底壁３の上面には、水流を緩和して魚類の休息用静水域Ｑとしてのプールを作るとともに魚類にとって適切な越流水深と越流形状を確保するための複数の隔壁５が凸設されている。
【００１７】
隔壁５は、側面６ａが魚道幅方向を向くように該魚道幅方向に略隙間なく列設された複数の廃タイヤ６からなっており、各廃タイヤ６はその下部が底壁３に埋設固定されている。隔壁５の中央部には、両端部よりも大径の廃タイヤ６が配設されることにより、両部位の廃タイヤ６の天端位置を互いに異ならせ、隔壁５に天端高の異なる２つの越流部８が設けられている。両部位の廃タイヤ６の直径は同じか、又は中央部の方が小径であってもよく、この場合は、廃タイヤ６の位置を上下にずらせることにより、両部位の廃タイヤ６の天端位置を互いに異ならせるようにする。廃タイヤ６及び側壁４間や廃タイヤ６同士は、ボルト及びナット等の連結手段により互いに連結してもよい。
【００１８】
隔壁５両側の側壁４の上縁には、隔壁５の上縁より一回り高い凸壁部９が設けられている。この凸壁部９には、その縁部に沿って、略半円弧状の廃タイヤ片１０が配設されている。これにより、凸壁部９以外の側壁４の上縁から魚道水路の余分な水Ｗが魚道水路外へ溢れ出るようにしている。
【００１９】
本実施例の魚道によれば、次のような効果が得られる。
（１）隔壁５や側壁４に緩衝性のある廃タイヤ６を使用しているので、転石の衝突による荷重を低減することができる。特に、廃タイヤ６の円形状は転石がどの方向から衝突しても同じ厚みで抵抗でき、また、その円形構造により衝撃を分散する効果がある。このため、転石による隔壁や側壁の破損、脱落を少なくすることができる。
【００２０】
（２）隔壁５は、廃タイヤ６の円形形状により断面略円弧状に形成されているので、プール式のように大きな静水域Ｑを確保しながら、土砂の流出を促進する構造を合わせ持っている。従って、静水域Ｑが大きいので魚道勾配を小さくすることができ、もって基礎コンクリートを小さくすることができる。また、土砂の流出を促進するので、土砂や転石が堆積し難く、大きな静水域Ｑを確保し続けることができる。
【００２１】
（３）同じく、隔壁５は断面略円弧状に形成されており、魚道勾配に関わらず上端の越流部８の面形状が変化しないので、越流流速が算出しやすい。
【００２２】
（４）隔壁５は、廃タイヤ６の天端位置を互いに異ならせることにより、天端高の異なる２レベルの越流部８が設けられているので、水Ｗの流量や魚類Ｆの種類や個体ごとの遡上能力に応じて個々の選考流速に対応するレベルを選択することができる。
【実施例２】
【００２３】
次に、本発明の第二実施例の魚道２０を図４に基づいて説明する。本実施例の魚道２０は、隔壁２１を構成する一部の廃タイヤ６が床壁上面から浮かせた状態で支持されることにより、潜口２２が形成されている点において、主に第一実施例と相違している。具体的には、図４に示すように、本例の魚道２０の隔壁２１は５つの廃タイヤ６からなっており、それらの内の両端部及び中央部の廃タイヤ６が小径のものにされるとともに、底壁３から浮かせた状態で支持されている。これらの廃タイヤ６は、側壁４や隣の廃タイヤ６に連結支持されている。このように構成された魚道２０によれば、第一実施例と同様の効果に加え、潜口２２が形成されているので、水Ｗの流量が少ないときでも魚類の遡上を可能にしている。
【実施例３】
【００２４】
次に、本発明の第三実施例の魚道３０を図５に基づいて説明する。本実施例の魚道３０では、廃タイヤ６はその側面６ａが魚道長さ方向を向くように配設され、これにより水流を緩和して魚類の休息用静水域を作るように構築されている。具体的には、本例の魚道３０は、魚道長さ方向に間隔を置いて列設された複数の廃タイヤ６を備えており、いわゆるデニール式に構成されている。各廃タイヤ６の下部は底壁３に埋設固定されている。また、各廃タイヤ６は、直径が魚道３０の内幅と略等しいものが使用されており、左右の周面が両側壁４の内面に略接するようになっている。直径が魚道３０の内幅よりも大きい廃タイヤ６を使用し廃タイヤ６の両側を側壁４に埋設するように構成したり、直径が魚道３０の内幅よりも小さい廃タイヤ６を使用したりすることもできる。また、本例では、廃タイヤ６同士の直径、幅、種類を揃えるとともに、魚道３０の長さ方向に沿うように中心位置や向きを揃えているが、これらを揃えないようにすることもできる。このように構成された魚道３０によれば、廃タイヤ６の側面６ａを水流に対峙させることにより、粗流板として作用させ、水を逆流させて水流を制することにより静水域を作ることができる。また、第一実施例と同様に、緩衝性のある廃タイヤ６を使用しているので、転石の衝突による荷重を低減することができ、また、その円形構造により衝撃を分散する効果がある。
【実施例４】
【００２５】
次に、本発明の第四実施例の魚道４０を図６に基づいて説明する。本実施例の魚道４０では、廃タイヤ６はその側面６ａが上下方向を向くように配設され、これにより水流を緩和して魚類の休息用静水域を作るように構築されている。具体的には、本例の魚道４０は、側面６ａが上下方向を向くように寝かせた状態で１又は２段以上に段積みされた複数の廃タイヤ６が底壁３上に配設されており、いわゆるストリーム式に構成されている。本例では、直径、幅、又は種類が異なる２以上の廃タイヤ６が使用されたり、段積みされた上下の廃タイヤ６の中心位置が互いにずらされたり、底壁３上のランダムな位置に廃タイヤ６が配設されることにより、自然の河床の状態に近づくように構築されている。廃タイヤ６同士の固定方法や廃タイヤ６の底壁への固定方法としては、特に限定されず、廃タイヤ６の中空部にコンクリートを現場打ちすることによる方法や、ボルト及びナット等の連結手段による方法など、公知の方法を適宜採用することができる。本実施例の魚道４０によっても、第一実施例と同様に、緩衝性のある廃タイヤ６を使用しているので、転石の衝突による荷重を低減することができ、また、その円形構造により衝撃を分散する効果がある。
【実施例５】
【００２６】
次に、本発明の第五実施例の魚道５０を図７及び図８に基づいて説明する。本実施例の魚道５０は、傾斜式の全面魚道であり、河床ＲＢの連続傾斜面上にその全幅に亘って延びる隔壁５１を複数備えている。この隔壁５１は、少なくとも直径が異なる複数種類の廃タイヤ６がランダムな順番に並べられてなる点において、主に第一実施例の隔壁５と相違している。図８（ａ）は流量の多い場合、同図（ｂ）は流量の少ない場合における隔壁５１上縁の越流部８の状態をそれぞれ示している。このように、本実施例の魚道５０では、複数種類の廃タイヤ６をランダムな順番に並べることにより、隔壁５１上縁部に種々の深さの凹部を形成し、もって越流水深・流速を変化させ種々の越流レベルを作り出している。従って、第一実施例と同様の効果に加え、魚類がその種類や個体ごとの遡上能力に応じて個々の選考流速に対応するレベルを選択することができるとともに、水Ｗの流量の変化や、堆砂による越流部選好流速の変化にも対応できる。
【実施例６】
【００２７】
次に、本発明の第六実施例の魚道６０を図９〜図１３に基づいて説明する。図９及び図１０に示すように、本実施例の魚道６０は、傾斜式の全面魚道であり、多数の魚道ブロック６１が堰６２より下流の河川内領域に縦横に敷設され組立てられてなるものであり、該領域の全幅に亘って延びる隔壁７０を複数備えている。そして、この堰６２の上流及び魚道６０の下流には護床工６３が構築されており、この護床工６３も魚道ブロック６１が河川内領域内に縦横に敷設され組み立てられてなっている。
【００２８】
図１１〜図１３に示すように、この魚道ブロック６１は、プレキャスト成形されてなる平面視略矩形状のブロック本体６５を備えている。このブロック本体６５は、前後方向の中央部に左右全幅に亘って嵩高に形成された嵩高部６６を備え、該嵩高部６６の前後における対向側辺の中間部には凹部６７が対設されている。嵩高部６６の上面には、ブロック本体６５の左右全幅に亘って延びる凸壁６８が形成されるとともに、四隅側に魚道ブロック６１を吊るための吊り金具６４が埋設されている。凸壁６８は、側面６ａが魚道幅方向を向くように魚道幅方向に略隙間なく列設された複数の廃タイヤ６からなっている。各廃タイヤ６はその下部が嵩高部６６に埋設固定されている。これらの廃タイヤ６としては、直径が異なる少なくとも２種類以上のものが使用され、ランダムな順番に並べられている。
【００２９】
魚道６０の施工に際しては、魚道ブロック６１の凸壁６８が魚道幅方向に延びるように同一方向に向けられ、マトリックス状に配設される。これにより前後に隣接する魚道ブロック６１の凹部６７により、流水を一時的に溜める貯水部６９が形成される。また、左右に隣接する魚道ブロック６１の凸壁同士が接合され、魚道６０の全幅に亘って延びる隔壁７０が形成される。
【００３０】
護床工６３の施工に際しては、一部の魚道ブロック６１の向きを魚道６０とはランダムに変更することにより、自然の河床の状態に近づけるようにする。
【００３１】
本実施例の魚道６０によれば、第五実施例の効果に加え、プレキャストコンクリート製の魚道ブロック６１を使用して、魚道６０を短い工期で安価に施工でき、また、その魚道ブロック６１を利用して護床工６３を施工することもできる。
【実施例７】
【００３２】
次に、本発明の第七実施例の魚道８０を図１４及び図１５に基づいて説明する。本実施例の魚道８０は、傾斜式の全面魚道であり、河床ＲＢの連続傾斜面上にその全幅に亘って延びる隔壁８１を複数備えている。隔壁８１は、魚道幅方向に延びる略円柱状の複数の隔壁要素８２の端部同士が接合されてなっている。隔壁要素８２は、略円柱状の柱体８３と、該柱体８３に嵌装された廃タイヤ６とにより構成されている。柱体８３は、その周面に沿って略隙間なく配設されて柱体長さ方向に延びる複数の間伐材８４と、該間伐材８４により囲まれた空間内に打設されたコンクリート製の芯部８５からなっている。
【００３３】
本実施例によれば、第一実施例と同様に、隔壁８１に緩衝性のある廃タイヤ６が配設されるとともに、該隔壁８１が断面略円弧状に形成されているので、該第一実施例と同様の効果を得ることができる。さらに、隔壁８１は、本来の機能として水流を緩和して魚類の休息用静水域Ｑとしてのプールを作るとともに魚類にとって適切な越流水深と越流形状を確保することができるだけでなく、自然物である間伐材８４が魚類等の水棲生物の生息の場として機能するので、水棲物にとって好ましい環境をつくることができる。また、間伐材８４には水草が生えやすいので、この点からも水棲物にとって好ましい環境となる。しかも、自然物である間伐材８４は、コンクリートの無機的な外観を補って景観を向上させる。
【００３４】
なお、本発明は前記実施例に限定されるものではなく、例えば以下のように、発明の趣旨から逸脱しない範囲で適宜変更して具体化することもできる。
（１）第一〜第四実施例を魚道ブロックによる組立式にすること。
（２）第七実施例の隔壁要素を部分魚道の隔壁に使用すること。
【図面の簡単な説明】
【００３５】
【図１】本発明の第一実施例に係る魚道の斜視図である。
【図２】同魚道の一部を破断した側面図である。
【図３】図１のＩＩＩ−ＩＩＩ線断面図である。
【図４】本発明の第二実施例に係る魚道の断面図である。
【図５】本発明の第三実施例に係る魚道の斜視図である。
【図６】本発明の第四実施例に係る魚道の斜視図である。
【図７】本発明の第五実施例に係る魚道の斜視図である。
【図８】図７のＶＩＩＩ−ＶＩＩＩ線断面図であり、（ａ）は水の流量が多い場合、（ｂ）は水の流量が少ない場合を示している。
【図９】本発明の第六実施例に係る魚道の断面図である。
【図１０】同魚道の平面図である。
【図１１】同魚道を構成する魚道ブロックの平面図である。
【図１２】図１１のＸＩＩ矢視図である。
【図１３】図１１のＸＩＩＩ−ＸＩＩＩ線断面図である。
【図１４】本発明の第七実施例に係る魚道の断面図である。
【図１５】同魚道の隔壁要素を示す斜視図である。
【図１６】従来のプール式魚道を示す断面図である。
【図１７】従来のストリーム式魚道を示す断面図である。
【符号の説明】
【００３６】
１    魚道
５    隔壁
６ａ  側面
６    廃タイヤ
８    越流部
２０    魚道
２１    隔壁
２２    潜口
３０    魚道
４０    魚道
５０    魚道
５１    隔壁
６０    魚道
７０    隔壁
８０    魚道
８１    隔壁
８２    隔壁要素
８３    柱体
８４    間伐材
Ｑ      静水域
Ｗ      水
【図１】
2005282284.tif 000003
【図２】
2005282284.tif 000004
【図３】
2005282284.tif 000005
【図４】
2005282284.tif 000006
【図５】
2005282284.tif 000007
【図６】
2005282284.tif 000008
【図７】
2005282284.tif 000009
【図８】
2005282284.tif 000010
【図９】
2005282284.tif 000011
【図１０】
2005282284.tif 000012
【図１１】
2005282284.tif 000013
【図１２】
2005282284.tif 000014
【図１３】
2005282284.tif 000015
【図１４】
2005282284.tif 000016
【図１５】
2005282284.tif 000017
【図１６】
2005282284.tif 000018
【図１７】
2005282284.tif 000019
【手続補正書】
【提出日】平成16年8月4日(2004.8.4)
【手続補正２】
【補正対象書類名】手続補正書
【補正対象項目名】手続補正２
【補正方法】削除
【補正の内容】